(57)【要約】【課題】子供が楽しく体重を測定できるような体重計を提供すること。【解決手段】  この体重計１００は、子供が載台１に載ると、内蔵したロードセルにより体重が測定される。また、コントローラの処理部が、測定した体重に基づいて記憶部に記憶されているキャラクターの画像情報を選択し、実際の測定結果と共にキャラクターを電子表示部６に表示する。また、表示媒体駆動部７によりカード３４が回転して機械的な動きが楽しめるので、子供の注意を引き、体重測定を楽しく行うことができる。表示するキャラクターは、測定年齢の平均体重を基準として、偏差に基づいて選択される。【選択図】図１
2012088173.tif 000002
【特許請求の範囲】
【請求項１】
体重を測定する体重測定手段と、
複数の画像情報を体重毎に対応付けて記憶する記憶手段と、
前記体重測定手段により測定した体重に基づいて前記記憶手段に記憶している画像情報を選択する画像情報選択手段と、
前記選択した画像情報を表示する電子表示手段と、
を備えたことを特徴とする体重計。
【請求項２】
更に、絵図を表したカード等の絵図表示媒体と、
前記体重測定手段により測定した体重に基づいて表示媒体を動かす表示媒体駆動手段と、
を備えたことを特徴とする請求項１に記載の体重計。
【請求項３】
更に、各画像情報に対応付ける体重の基準を設定する体重基準設定手段を有することを特徴とする請求項１又は２に記載の体重計。
【請求項４】
前記表示媒体は、前記表示媒体駆動手段に対して着脱自在に設けられていることを特徴とする請求項２又は３に記載の体重計。
【発明の詳細な説明】
【技術分野】
【０００１】
本発明は、子供に興味を持たせる画像表示や動きを行う子供向けの体重計に関するものである。
【背景技術】
【０００２】
従来の体重計は大人向けのものが殆どであり、子供の体重計といえば、幼児の体重を精密に測定するものや、大人の体重計にキャラクターの絵等を印刷した程度のものしか市販されていないのが現状である。
【０００３】
近年、子供の肥満等の健康が問題視されており、子供の体重を定期的に計測して親子共に健康管理を行うことの重要性が高くなっている。ところが、子供は定期的に体重計に乗るのを嫌がる傾向にあり、体重計に乗っても正確に体重を測定するには一定時間動かずに乗っている必要性がある。特に、小さな子供を体重計に乗せて体重測定するのは親にとって一苦労である。子供が喜べるような機能を備えた体重計であれば、子供が積極的に体重計に乗るようになり、親も楽であるが、そのような子供が楽しめる体重計はなく、例えば特許文献１に記載された体調管理装置のような婦人向けのものしか存在しなかった。
【先行技術文献】
【特許文献】
【０００４】
【特許文献１】特開２００２−１０２１９５号公報
【発明の概要】
【発明が解決しようとする課題】
【０００５】
そこで、この発明は、子供が楽しく体重を測定できるような体重計を提供することを目的とする。
【課題を解決するための手段】
【０００６】
本発明の体重計は、体重を測定する体重測定手段と、複数の画像情報を体重毎に対応付けて記憶する記憶手段と、前記体重測定手段により測定した体重に基づいて前記記憶手段に記憶している画像情報を選択する画像情報選択手段と、前記選択した画像情報を表示する電子表示手段とを備えたことを特徴とする。
【０００７】
また、本発明の体重計は、上記発明において、更に、絵図を表したカード等の絵図表示媒体と、前記体重測定手段により測定した体重に基づいて表示媒体を動かす表示媒体駆動手段とを備えたことを特徴とする。
【０００８】
また、本発明の体重計は、上記発明において、更に、各画像情報に対応付ける体重の基準を設定する体重基準設定手段を有することを特徴とする。
【０００９】
また、本発明の体重計は、上記発明において、前記表示媒体は、前記表示媒体駆動手段に対して着脱自在に設けられていることを特徴とする。
【発明の効果】
【００１０】
本発明は、体重毎に画像が表示されるため、子供が楽しめ、進んで体重を測定するようになる。
【図面の簡単な説明】
【００１１】
【図１】この発明の実施の形態１にかかる体重計を示す正面斜視図である。
【図２】図１に示した体重計の背面斜視図である。
【図３】図１に示した体重計の背面図である。
【図４】基台の内部構造を示す断面図である。
【図５】体重計を示す機能ブロック図である。
【図６】記憶部に格納されている画像情報の例を示す図表である。
【図７】１歳〜１０歳の男女の平均体重の例を示した図表である。
【図８】電子表示部の表示例を示す説明図である。
【図９】表示媒体駆動部の別の例を示す説明図である。
【図１０】この発明の実施の形態３に係る表示媒体駆動部を示す説明図である。
【発明を実施するための形態】
【００１２】
（実施の形態１）
図１は、この発明の実施の形態１にかかる体重計を示す正面斜視図である。図２は、図１に示した体重計の背面斜視図である。図３は、図１に示した体重計の背面図である。図４は、基台の内部構造を示す断面図である。図５は、この体重計を示す機能ブロック図である。この体重計１００は、載台１を底枠２の上側に被せた基台３と、基台３に立設した支柱４と、支柱４の上端に設けられ筐体５に液晶パネルを組み込んだ電子表示部６と、電子表示部６の筐体５内に設けた表示媒体駆動部７とを備える。
【００１３】
体重測定手段として、基台３の四隅には、それぞれロードセル８が設けられている。ロードセル８は、厚みのある矩形ブロック状の金属材９にめがね型の横穴を設けて薄肉の起歪部１０を形成し、この起歪部１０に歪ゲージ１１を張り付けた構造である。ロードセル８の加重部は、鋼球１２を介して載台１に連結され、固定部は、脚１３を備えた底枠２に固定されている。鋼球１２は、金属材９の上面と載台１の裏面とに設けた取付部材１４により支承されている。
【００１４】
前記電子表示部６の筐体５内には、モータ制御回路２１が内蔵されている。このモータ制御回路２１は、ＰＩＣ（Peripheral Interface Controller）を中心として構成したＰＤＩ制御を行うための回路であり、ポテンショメーター２２の出力信号に基づいてモータ２３の回転を制御する。
【００１５】
電子表示部６の筐体５内には、コントローラ２４が設けられている。コントローラ２４は、ロードセル８の出力信号を処理すると共に電子表示部６への表示内容や前記モータ制御回路２１への信号を生成する処理部２５と、体重測定の基準となる測定対象年齢及び男女を切り換える切換部２６と、所定の画像情報（静止画及び動画を含む）やプログラムを記憶する記憶部２７とを有する。筐体５には、前記切換部２６を構成する年齢設定ダイヤル４１と、男女切換スイッチ４２とが設けられている。この年齢設定ダイヤル２７は、１歳〜１０歳の１０段階の切換が可能となっている。
【００１６】
図６は、記憶部に格納されている画像情報の例を示す図表である。図７は、１歳〜１０歳の男女の平均体重の例を示した図表である。各画像情報は、所定の体重に対応して記憶部２７に記憶されている。具体例としては、１歳〜１０歳の子供の平均体重からの偏差毎に対応して画像情報が格納されており、その画像情報は、平均体重からの偏差が−３ｋｇ〜＋３ｋｇの範囲であれば「犬」、＋３ｋｇ〜＋５ｋｇの範囲であれば「鹿」、＋５ｋｇ〜＋７ｋｇの範囲であれば「熊」、＋７ｋｇ〜＋１０ｋｇの範囲であれば「サイ」、＋１０ｋｇ以上の範囲であれば「象」となる。平均体重からの偏差が−３ｋｇ〜−５ｋｇの範囲であれば「猿」、−５ｋｇ〜−７ｋｇの範囲であれば「猫」、−７ｋｇ〜−１０ｋｇの範囲であれば「ウサギ」、−１０ｋｇ以下の範囲であれば「小鳥」となる。なお、この体重の偏差の範囲は、これに限定されない。例えば、平均体重に対して１ｋｇ単位で異なる画像情報を対応させても良い。
【００１７】
前記表示媒体駆動部７は、小型の直流モータ２３と、モータ２３の回転軸に設けたギアボックス３０と、ギアボックス３０に設けたポテンショメーター２２と、ギアボックス３０の出力軸３１に均等角度をもって設けたバネ棒３２と、バネ棒３２の先端に設けたクリップ３３と、クリップ３３により挟んだ絵図表示媒体であるカード３４とから構成される。バネ棒３２は、電子表示部６の筐体５の上面から上側に飛び出る長さとする。カード３４はクリップ３３により交換可能であり、ユーザが自在に好みのカード３４を挟むことができる。表示媒体駆動部７は、測定した体重に応じて作動する。
【００１８】
なお、前記記憶部２７には、モータ２３を制御するプログラムが格納されている。このプログラムは、例えば、第１例として、１歳〜１０歳の子供の平均体重からの偏差毎に既定の異なる動作を行うようにモータ制御回路２１に命令するものである。或いは、第２例として、記憶部２７に記憶された複数の動作パターンに基づいて、子供が体重を測定する度に不定の異なる動作を行うようにモータ制御回路２１に命令するものである。
【００１９】
第１例では、各クリップ３３に「イ」「ロ」「ハ」の記号が付されており、各偏差の範囲に各記号が対応している。図６の例では、平均体重からの偏差が−３ｋｇ〜＋３ｋｇの範囲であれば「イ」となり、＋３ｋｇ〜＋５ｋｇの範囲であれば「ロ」、＋５ｋｇ〜＋７ｋｇの範囲であれば「ハ」、＋７ｋｇ〜＋１０ｋｇの範囲であれば「イ」、＋１０ｋｇ以上の範囲であれば「ロ」となる。平均体重からの偏差が−３ｋｇ〜−５ｋｇの範囲であれば「ロ」、−５ｋｇ〜−７ｋｇの範囲であれば「ハ」、−７ｋｇ〜−１０ｋｇの範囲であれば「イ」、−１０ｋｇ以下の範囲であれば「ロ」となる。即ち、体重の範囲でどのクリップ３３が筐体５の上部に位置するか判るため、そのクリップ３３に所望のカード３４を挟んでおくことで、偏差に応じてカード３４を表示できる。
【００２０】
第２例では、体重の偏差に応じて表示するのではなく、測定毎に異なるクリップ３３をランダムに表示する。例えば、「イ」「ロ」「ハ」を不規則に選択するプログラムを記憶部２７に記憶しておき、体重を測定する度に当該プログラムにより「イ」「ロ」「ハ」のいずれかを選択する。また、第１例のように体重偏差毎に既定の動作を行う場合と、第２例のように測定毎に不定の動作を行う場合とを切り換えることができるようにしても良い。
【００２１】
次に、この発明の体重計１００の動作について説明する。測定する子供の年齢に合わせて、子供又はその親等が、前記年齢設定ダイヤル４１をセットする。また、男女切換スイッチ４２により男女の切換をする。例えば、７歳の女児を測定するときは、年齢設定ダイヤル４１を「７歳」にセットし、男女切換スイッチ４２を「女」に切り換える。これにより、７歳女子の平均体重「２３．３ｋｇ」を基準とした体重測定を行う準備ができる。
【００２２】
実際に測定対象である女児が体重計１００の載台１に載ると、ロードセル８から体重に応じた信号が出力される。処理部２５は、ロードセル８からの出力信号に応じて体重を測定する。そして、測定した体重を電子表示部６に表示する。また、測定した体重に基づいて、記憶部２７に記憶されている画像情報を選択する。この７歳女児の体重が２７．３ｋｇであった場合、平均体重を４ｋｇ上回っているので「鹿」の画像情報が処理部２７によって選択され、実際の体重とともに電子表示部６に表示される。図８は、電子表示部の表示例を示す説明図である。電子表示部６には、実際の体重「２７．３ｋｇ」および「シカ級」の文字と共に、鹿の静止画が表示される。
【００２３】
表示媒体駆動部７は、測定した体重に応じて作動する。記憶部２７には、表示媒体駆動部７の動作を制御するプログラムが格納されている。処理部２５は、記憶部２７からロードしたプログラムに基づいて、測定した体重に応じた制御信号をモータ制御部２１に送る。第１例のように、当該プログラムが体重の偏差に応じて既定のクリップ３３を表示するものである場合、そのクリップ３３に挟んでいるカード３４が筐体５上部に回転して位置する。なお、表示媒体駆動部７は少なくとも１回転以上してから既定のカード３４を筐体５上部に表示させるようにするのが好ましい。
【００２４】
次の子供を測定するときは、その子供の年齢と性別に応じて上記年齢設定ダイヤル４１と男女切換スイッチ４２を切り換え、上記同様に測定を行う。このようにすれば、電子表示部６に体重毎の画像が表示され、表示媒体駆動部７により機械的な動きが楽しめるので、子供が進んで体重測定をするようになる。
【００２５】
なお、記憶部２７に記憶されている画像情報は、書き換え可能にしても良い。また、平均体重を基準とした体重の偏差でなく、体重自体に対応付けて上記画像情報を記憶させても良い。例えば、体重が１ｋｇ〜１０ｋｇの範囲であれば「小鳥」、１０ｋｇ〜１３ｋｇの範囲であれば「ウサギ」、１３ｋｇ〜１６ｋｇの範囲であれば「猫」、１６ｋｇ〜１９ｋｇの範囲であれば「犬」、１９ｋｇ〜２１ｋｇの範囲であれば「鹿」、２１ｋｇ〜２４ｋｇの範囲であれば「熊」、２４ｋｇ〜２７ｋｇの範囲であれば「サイ」、２７ｋｇ以上の範囲であれば「象」の画像情報とする。
【００２６】
表示媒体駆動部７は実際に何らかの動きを有するものであれば、上記構造に限定されない。また、モータ等の電動機による駆動する方式のほか、子供の体重を利用して回転板を回転させる方式としても良い。また、記憶部２７に画像情報に対応付けて音を記憶しておき、画像情報の表示と共に音を出すようにしても良い（図示省略）。例えば、「小鳥」の画像を表示する際に、「小鳥」の鳴き声を出すようにする。
【００２７】
（実施の形態２）
図９は、表示媒体駆動部の別の例を示す説明図である。この表示媒体駆動部７０は、複数のキャラクターが表示された回転板７１と、回転板７１に回転を与える回転機構部７２と、回転板７１を停止させる停止機構７３とから構成される。回転板７１には、複数のキャラクターが印刷され、回転板７１の上部が前記電子表示部６の筐体５から出て、正面から見えるようになっている。回転機構部７２は、載台１の内側端部に短腕７４が係止した梃子７５と、梃子７５の長腕７６の先端に自由連結したバー７７と、そのバー７７の上端に設けたラック７８と、ラック７８に係合し且つ前記回転板７１の回転軸７９に設けたピニオン８０と、回転軸７９とピニオン８０との間に設けられ一方向回転のみ許容するラチェット部８１とから構成される。停止機構７３は、電子表示部６の筐体５上部に設けられた停止ボタン８２と、その裏側に一端が当接し且つ他端が回転板７１に対向するＬ字部材８３と、Ｌ字部材８３の曲がり角を回転可能に支持する支持部材８４とで構成される。前記Ｌ字部材８３の他端には、摩擦力を与えるためゴムが設けられている。
【００２８】
次に、この表示媒体駆動部７０の動作を説明する。子供が載台１に乗ると載台１が下降し、この載台１が下がることで梃子７５の短腕７４が下げられ、反対に長腕７６が上がる。これにより長腕７６に連結したラック７８が上昇してピニオン８０を介して回転板７１が回転する。回転板７１とピニオン８０との間はラチェット構造となっているので、回転板７１は回転し続ける。次に、子供が停止機構７３の停止ボタン８２を押すと、Ｌ字部材８３が支持部材８４を支点として回動し、Ｌ字部材８３の他端が回転板７１に押しつけられ、回転板７１の回転が停止する。
【００２９】
このようにすれば、電子表示部６によるキャラクターの表示と共に、子供が表示媒体駆動部７０の機械的な動きを楽しむことができる。また、かかる表示媒体駆動部７０によれば、電力を用いることなく楽しめるので、電池が切れた場合でも楽しむことができる。
【００３０】
（実施の形態３）
図１０は、この発明の実施の形態３に係る表示媒体駆動部を示す説明図である。この表示媒体駆動部９０は、複数のモータ９１と、各モータ９１を取り付けたギアボックス９２と、ギアボックス９２の各モータ９１に対応する出力軸９３に設けられ先端に表示板９４（表示媒体）を設けたアーム９５と、アーム９５が旋回して立ちあがったとき及び収納されたときに当該アーム９５を検出するリミットスイッチ９６とからなる。リミットスイッチ９６の出力信号は、モータ制御回路２４に送られる。
【００３１】
前記モータ９１、アーム９５は、実施の形態１に示した体重の偏差毎に設けられる。即ち、表示板９４として「犬」、「鹿」、「熊」、「サイ」、「象」、「猿」、「猫」、「ウサギ」及び「小鳥」がそれぞれ設けられ、各表示板９４のアーム９５を各モータ９１で駆動するようになっている。出力軸９３は、各モータ９１により各アーム９５を動かすために同軸形式となる。ギアボックス９２は、図示しない複数の輪列からなるが、モータ９１の回転軸と当該回転軸に対応する回転軸９３の軸との間にベルトを渡して動力を伝達する形式としても良い。
【００３２】
まず、測定する子供の年齢に合わせて、子供又はその親等が、前記年齢設定ダイヤル４１をセットする。また、男女切換スイッチ４２により男女の切換をする。そして、実際に測定対象である女児が体重計の載台１に載ると、ロードセル８から体重に応じた信号が出力される。処理部２５は、ロードセル８からの出力信号に応じて体重を測定する。そして、測定した体重を電子表示部６に表示する。また、測定した体重に基づいて、記憶部２７に記憶されている画像情報を選択する。この７歳女児の体重が２７．３ｋｇであった場合、平均体重を４ｋｇ上回っているので「鹿」の画像情報が処理部２５によって選択され、実際の体重値と共に電子表示部６に表示される。
【００３３】
また、モータ制御回路２１は、測定した体重に基づいて「鹿」の表示板９４に係るモータ９１を動かし、アーム９５を旋回させる。アーム９５がリミットスイッチ９６に接触すると、リミットスイッチ９６の出力信号がモータ制御回路２１に送られ、当該モータ制御回路２１はモータ９１を停止させる。これにより、「鹿」の表示板９４が筐体５上部から飛び出して表示される。
【００３４】
一方、子供が体重計の載台１から下りると、ロードセル８の出力信号に基づいてコントローラ２４の処理部２５がモータ制御部２１に「鹿」にかかるモータ９１を逆転させる命令を送る。モータ制御回路２１はモータ９１を逆転させてアーム９５を収納する。アーム９５がリミットスイッチ９６に接触することで、当該リミットスイッチ９６から信号が出力され、当該信号に基づいてモータ制御回路２１がモータ９１の駆動を停止する。
【００３５】
以上の構成であっても、表示媒体駆動部９０により機械的な動きが楽しめるので、子供が進んで体重測定をするようになる。
【符号の説明】
【００３６】
１００  体重計
１  載台
２  底枠
３  基台
６  電子表示部
７  表示媒体駆動部
８  ロードセル
２１  モータ制御回路
２３  モータ
２４  コントローラ
２５  処理部
２７  記憶部
３２  バネ棒
３３  クリップ
３４  カード
【図１】
2012088173.tif 000003
【図２】
2012088173.tif 000004
【図３】
2012088173.tif 000005
【図４】
2012088173.tif 000006
【図５】
2012088173.tif 000007
【図６】
2012088173.tif 000008
【図７】
2012088173.tif 000009
【図９】
2012088173.tif 000010
【図１０】
2012088173.tif 000011
【図８】
2012088173.tif 000012